(57)【要約】  【課題】  多数の場所を移動して各場所で無線タグとの通信を行なうような場合に、確実、かつ、スムースな通信を行なうことができ、換言すれば通信の再現性を向上させることができる携帯端末装置を提供する。  【解決手段】  無線タグとの通信を行う通信手段と、通信対象となる無線タグ３を取付けた対象物２を撮影するカメラと、無線タグ３との通信に成功したときの対象物を撮影した画像Ｐ１のデータを無線タグ３から受信したデータに関連付けて保存するメモリと、画像Ｐ１ととともに現在撮影中の画像Ｐ２を同時に表示する液晶画面１１とを有する。【選択図】  図２
2006311429.tif 000002
【特許請求の範囲】
【請求項１】
無線タグとの通信を行なう通信手段と、
通信対象となる前記無線タグを取付けた対象物を撮影するカメラと、
前記無線タグとの通信に成功したときの撮影対象物を撮影した画像データを前記無線タグから受信したデータに関連付けて保存する保存手段と、
前記画像データを現在撮影中の画像と同時に表示する表示手段と
を有する携帯端末装置。
【請求項２】
無線タグとの通信を行なう通信手段と、
通信対象となる前記無線クグを取付けた対象物を撮影するカメラと、
前記無線タグとの通信に成功したときの撮影対象物を撮影した画像データから前記対象物の輪郭を生成する画像処理手段と、
前記輪郭データを前記無線タグから受信したデータに関連付けて保存する保存手段と、
前記輪郭データを現在撮影中の画像と同時に画面に表示する表示手段と
を有する携帯端末装置。
【請求項３】
前記画像データを保存する際に、撮影時のカメラ倍率を前記画像データに関連付けて保存させる手段と、
前記画像データを読出して前記表示手段に表示する際に、保存した前記カメラ倍率でカメラを起動する手段と
を有する請求項１又は２に記載の携帯端末装置。
【発明の詳細な説明】
【技術分野】
【０００１】
本発明は、タグリーダライタ機能を搭載の携帯端末装置に関するものである。
【背景技術】
【０００２】
従来、無線タグ（ＲＦＩＤタグ）の読取り及び書込みを行なうことができるリーダライタ機能を搭載した携帯端末装置としては、例えば特許文献１に記載の到達確認システム用のものなどが知られている。この特許文献１に記載のリーダライタ機能搭載の携帯端末装置は、予め各住居（家屋）の戸先などのような一定の場所に無線タグ（ＲＦＩＤタグ）を取付けておき、配達員などの訪問者が各家庭を訪れた際に、その家屋などに取付けてある無線タグに保存されているタグ情報を携帯式のリーダライタで読取る、というシステムのものである。
【０００３】
ところで、無線タグとして例えば電池などで電力を供給するアクティブタグなどを用いた場合には、通信距離が１０ｍ程度と比較的遠距離通信ができる。従って、特許文献１に記載されたシステムなどで使用する際には、無線タグにリーダライタを近接させなくても、無線タグに保存されている情報を読取ることが可能になるので便宜である。
【特許文献１】特開２００１−３４６４０号公報
【発明の開示】
【発明が解決しようとする課題】
【０００４】
ところが、このような無線タグでは、この無線タグにリーダライタを近接させなくても通信ができる利便さがある反面、無線タグとの通信距離が大きくなるため、通信時に、通信最大距離に入っているかどうかの確認が取り難くなるだけでなく、アンテナ指向性、すなわち、無線タグに対するリーダライタの向きの影響が起こり易くなるという不都合も生じている。つまり、使用者は、過去に通信した無線タグと再度通信する際に、無線タグに対する位置や向きについての情報を得ていないと、無線タグとの通信をスムースに再現できなくなり、通信できるようになるまでにある程度の時間を要することが予想される。
【０００５】
また、無線タグとの通信距離が長くなるので、到達エリアも拡大し、無線タグが発見しにくくなる。その結果、使用者は、無線タグの設置場所などの情報を得ていないと、通信を迅速に行えなくなり、通信するまでさらに時間がかかる、という問題も考えられる。
【０００６】
本発明は、上記事情に鑑みてなされたもので、例えば多数の場所を移動して各場所でＲＦＩＤタグとの通信を行なうような場合に、確実、かつ、スムースな通信を行なうことができ、換言すれば通信の再現性を向上させることができるリーダライタ機能を搭載の携帯端末装置を提供することを目的とする。
【課題を解決するための手段】
【０００７】
本発明の携帯端末装置は、無線タグとの通信を行なう通信手段と、通信対象となる前記無線タグを取付けた対象物を撮影するカメラと、前記無線タグとの通信に成功したときの撮影対象物を撮影した画像データを前記無線タグから受信したデータに関連付けて保存する保存手段と、前記画像データを現在撮影中の画像と同時に表示する表示手段とを備えた構成を有する。この構成により、通信に成功したときに対象物をカメラ撮影して、次回、同じ無線タグと通信する際には、先に撮影した画像データと現在カメラにより撮影されている対象物の画像を同時に表示し、使用者が、両画像がなるべく一致する位置、向きに移動することで、再現性の良い通信を行うことができる。
【０００８】
また、本発明の携帯端末装置は、無線タグとの通信を行なう通信手段と、通信対象となる前記無線クグを取付けた対象物を撮影するカメラと、前記無線タグとの通信に成功したときの撮影対象物を撮影した画像データから前記対象物の輪郭を生成する画像処理手段と、前記輪郭データを前記無線タグから受信したデータに関連付けて保存する保存手段と、前記輪郭データを現在撮影中の画像と同時に画面に表示する表示手段とを備えた構成を有する。この構成により、表示手段に表示した輪郭内に現在撮影中の対象物の輪郭が一致するような位置、向きに移動することで、再現性の良い通信を行うことができる。
【０００９】
また、本発明の携帯端末装置は、前記画像データを保存する際に、撮影時のカメラ倍率を前記画像データに関連付けて保存させる手段と、前記画像データを読出して前記表示手段に表示する際に、保存した前記カメラ倍率でカメラを起動する手段とを備えた構成を有する。この構成により、前記画面比較の際の無線タグと携帯端末装置と間の撮影距離に正しく合わせることができる。
【発明の効果】
【００１０】
本発明によれば、ＲＦＩＤリーダライタ通信手段と、通信対象となる無線タグを添付した対象物を撮影するカメラと、無線クグとの通信に成功した場合の対象物撮影手段と、前記撮影の画像データをタグからの受信したデータに関連付けする保存手段と、前記画像データを液晶画面の一部に表示する手段と、現在撮影中の画像も液晶画面の一部に同時表示する手段とを有することで、過去に通信を行った無線クグと再度通信する際に再現性の良い通信を行うことができるＲＦＩＤリーダライタ機能搭載の携帯端末装置を提供できる。
【発明を実施するための最良の形態】
【００１１】
以下、本発明の実施の形態について、添付図面を参照しながら詳細に説明する。
［第１の実施形態］
図１は、本発明の第１の実施形態に係る携帯端末装置を示すものであり、本実施形態では、携帯端末装置として、タグリーダ機能を有する折畳式カメラ付き携帯電話装置１を例に挙げて説明する。
本実施形態に係る折畳式カメラ付き携帯電話装置１は、カメラ(図示せず)と、図２参照に示す各住居（家屋）２などに取付けた無線タグ（ＲＦＩＤタグ）３との間で過去に（無線）通信が行なえたときの過去の撮影画像Ｐ１を記憶するメモリと、その撮影画像Ｐ１と現在撮影中の画像Ｐ２を同時に表示する表示手段である液晶画面１１と、無線タグ３の読取りを行なうタグリーダ(図示せず)と、カメラ、メモリ、液晶画面１１及びタグリーダの制御を行う制御部(図示せず)などを備えている。
【００１２】
次に、本実施形態に係る折畳式カメラ付き携帯電話装置１の動作について、図２を参照しながら説明する。
図２は、本実施形態に係る折畳式カメラ付き携帯電話装置１が、住居（家屋）２の玄関扉２１の左上にある無線タグ３との間で通信しようとするときの状態を示している。なお、折畳式カメラ付き携帯電話装置1の液晶画面１１は、以前（過去）に通信に成功したときの過去の撮影画像Ｐ１と現在撮影中の画像Ｐ２を同時に上下に並べて表示している。
【００１３】
（１）この折畳式カメラ付き携帯電話装置１では、予め、内蔵するカメラによって過去に撮影画像Ｐ１を撮影しておいた時のカメラ倍率を、過去の撮影画像Ｐ１データに関連付けしてメモリに保存してある。そこで、この折畳式カメラ付き携帯電話装置１に設けてある制御部は、使用者のファイル指定等により、無線タグ３との通信に成功したときの住居２の（過去の）撮影画像Ｐ１データと、この撮影画像Ｐ１に関連付けて折畳式カメラ付き携帯電話装置１のメモリに保存していた各種データを読み込み、例えばそのデータ中のカメラ倍率などを自動的に設定（或いは起動）する。
【００１４】
（２）現在撮影中の画像Ｐ２は、現在の撮影範囲βに対応させて表示している状態であり、図２(Ａ)では、過去の撮影範囲αと現在の撮影範囲βがずれているため、液晶画面１１には、過去の撮影画像Ｐ１と現在撮影中の画像Ｐ２が異なって表示されている。このため、折畳式カメラ付き携帯電話装置１のＲＦＩＤ用アンテナ(図示せず)と無線タグ３の相互のアンテナ指向性の向きが、過去に通信に成功したときの向きと異なっており、通信に失敗することが予想される。
これに対して、図２(Ｂ)では、同図(Ａ)の状態から液晶画面１１を視認しつつ、過去の撮影画像Ｐ１と現在撮影中の画像Ｐ２が同じ状態に見えるように、携帯端末装置１の位置や向きを変え、過去の撮影範囲Ｐ１と現在の撮影範囲Ｐ２を一致させたときの様子を示している。この位置では、無線タグ３との距離および折畳式カメラ付き携帯電話装置1のタグリーダ用アンテナ(図示せず)と無線タグ３との相互のアンテナ指向性の向きが、過去に通信に成功した状態のときと一致していることになる。従って、この状態で、無線タグ３との通信を行なうと、通信に成功しやすくなる。また、無線タグ３が汚損等により、見えにくくなった場合でも、住居２の玄関扉２１の位置を確認できれば、通信に成功したときの位置を容易に再現できる。
【００１５】
（３）ここで、無線タグ３に保存されているデータの読み取りに成功した場合は、制御部の制御により、現在撮影中の画像Ｐ２を無線タグ３のデータに関連付けている固有番号（ＩＤ）などを、ファイル名として折畳式カメラ付き携帯電話装置１内のメモリに保存する。さらに、撮影時のカメラ倍率を保存する。次回、この同じ住居２の無線タグ３と通信を行う際には、折畳式カメラ付き携帯電話装置１の制御部が、このファイル名を読み込み、過去の画像として表示し、また、カメラ倍率を自動的に設定する。
【００１６】
なお、本実施形態では、現在撮影中の画像Ｐ２やカメラ倍率を保存しているが、既に保存されているデータを繰り返し使用するのであれば、これらのデータについて、通信ごとの保存は必須とはしない。また、予め、過去の撮影画像Ｐ１のデータとそれに対応したカメラ倍率を、本実施形態のように折畳式カメラ付き携帯電話装置１内のメモリに書き込んでおいてもよいが、これらのデータはサーバに登録しておいてもよく、そうすることで、インターネットを介して、他の使用者も必要なデータを取り込むことができる。
また、本実施形態では、通信に成功したときの過去の撮影画像Ｐ１を表示しているが、過去の撮影画像Ｐ１を、例えば、網掛け、色つきなどで保存し、表示してもよい。また、本実施形態では、タグリーダについて述べたが、ライタ機能も備えたリーダライタなどを搭載した携帯端末装置でも同様に適用可能である。
【００１７】
［第２の実施形態］
次に、本発明の第２の実施形態について説明する。
図３（Ａ）は、本発明の第２の実施形態に係る携帯端末装置を示すものであり、本実施形態では、携帯端末装置として、タグリーダ機能を有する折畳式カメラ付き携帯電話装置４を例に挙げて説明する。
【００１８】
本実施形態に係る折畳式カメラ付き携帯電話装置４は、カメラ(図示せず)と、過去に通信に成功したときの画像Ｐ３のデータから撮影対象物（本実施形態では、住居（家屋）５の玄関扉５１）の輪郭Ｆ１を生成する画像処理手段(図示せず)と、画像Ｐ３および画像Ｐ３のデータを画像処理して求めた輪郭Ｆ１とカメラ(図示せず)にて現在撮影中の画像Ｐ４とを同時に表示する表示手段である液晶画面４１と、これらのデータを記憶するメモリと、タグリーダ(図示せず)と、カメラ、メモリ、液晶画面４１及びタグリーダの制御を行う制御部(図示せず)などを備えている。
【００１９】
次に、本発明の実施の形態における折畳式カメラ付き携帯電話装置４の動作について、図３〜図５を用いて説明する。
図３に示す折畳式カメラ付き携帯電話装置４の液晶画面４１には、過去に無線タグ６との通信に成功したときに撮影した図４に示す住居（家屋）５の玄関扉５１の一部を含んだ撮影範囲γの画像Ｐ３（図５（Ａ）参照）のデータを画像処理して求めた、住居５の玄関扉５１の撮影部分の輪郭Ｆ１（図３、図５（Ｂ）参照）と、現在撮影中の住居５の玄関扉５１の一部の画像Ｐ４を表示している。
【００２０】
（１）この折畳式カメラ付き携帯電話装置４でも、第１の実施形態と同様に、予め、内蔵するカメラ(図示せず)によって過去に無線タグ６と通信に成功したときの撮影画像Ｐ３のカメラ倍率を、過去の撮影画像Ｐ３を画像処理することで得た輪郭Ｆ１に関するデータ（輪郭データ）に関連付けしてメモリに保存してある。
【００２１】
（２）ここで、この折畳式カメラ付き携帯電話装置４に設けてある制御部が、使用者のファイル指定等により、住居５の輪郭（Ｆ１）に関するデータ（輪郭データ）とこのデータに関連付けてメモリに保存していた各種データを読み込み、例えばそのデータ中のカメラ倍率などを自動的に設定（或いは起動）する。
【００２２】
（３）例えば図３(Ａ)では、輪郭Ｆ１と現在撮影中の画像Ｐ４が一致していない。このため、折畳式カメラ付き携帯電話装置４のタグリーダ用アンテナ(図示せず)と無線タグ６の相互のアンテナ指向性の向きが、過去に通信に成功したときとは異なっており、通信に失敗することが予想される。これに対して、図３(Ｂ)では、輪郭Ｆ１と現在撮影中の画像Ｐ４が一致した様子を示している。即ち、この状態では、折畳式カメラ付き携帯電話装置４と無線タグ６との距離、および折畳式カメラ付き携帯電話装置４のタグリーダ用アンテナ(図示せず)の向きが、過去に通信に成功したときの向きと一致している。つまり、この図３(Ｂ)に示す状態で、無線クグ６との通信を開始すると、通信に成功しやすくなる。
【００２３】
（４）そこで、図３(Ａ)と（Ｂ）とを液晶両面４１を直接目で見て確認するとともに比較し、同図（Ｂ）の状態となるように、携帯電話装置４の位置や向きを変えてみる。また、無線タグ６が汚損等により見えにくくなった場合でも、輪郭Ｆ１と現在撮影中の画像Ｐ４が一致することを確認できれば、通信に成功した位置を再現できる。
【００２４】
（５）次に、無線タグ６のデータの読取りに成功した場合は、現在撮影中の画像Ｐ４データから、画像処理により撮影対象物の輪郭Ｆ１のデータを生成して、無線タグ６のデータに関連付けてある固有番号（ＩＤ）などを、ファイル名として折畳式カメラ付き携帯電話装置４内のメモリに保存する。さらに、カメラ倍率を保存する。これにより、次回、同じ無線タグ６と通信を行う際には、このファイル名を読み込み、過去の画像として表示し、また、カメラ倍率を設定することができる。
【００２５】
なお、本発明は上述した実施形態に何ら限定されるものではなく、その要旨を逸脱しない範囲において種々の形態で実施し得るものである。
例えば、本実施形態では、現在撮影中の画像Ｐ４を画像処理して得られた対象物の輪郭Ｆ１データと、カメラ倍率をメモリに保存しているが、過去に一度保存されているものを使用するのであれば、画像の処理や保存を必須とはしない。また、予め、撮影対象物の輪郭データとそれに対応したカメラ倍率を折畳式カメラ付き携帯電話装置４内のメモリに書き込んでおいてもよい。これらのデータは、サーバに登録しておいてもよく、そうすることで、インターネットを介して他の使用者も必要なデータを取り込むことができる。
【００２６】
また、本実施形態では、画像処理により撮影対象物の輪郭Ｆ１を生成しているが、輪郭Ｆ１で囲まれた部分を網掛け、色つきなどで表示してもよい。また、撮影箇所がわかるように、例えば「扉左上」などのコメントを撮影画像に同時に表示してもよい。
また、本実施形態では、タグリーダについて述べたが、ライタ機能も備えたリーダライタなどを搭載した携帯端末装置でも同様に適用可能である。
【産業上の利用可能性】
【００２７】
本発明に係る携帯端末装置は、無線タグとの通信を行う通信手段と、通信対象となる無線タグを取付けた対象物を撮影するカメラと、無線タグとの通信に成功したときの対象物を撮影した画像データを無線タグから受信したデータに関連付けて保存する保存手段と、無線タグとの通信に成功したときの画像データととともに現在撮影中の画像とを同時に表示する表示手段とを備えており、同じ無線タグに対する通信の再現性を良くすることが可能になるので、タグリーダライタ機能付きの携帯端末装置等として有用である。
【図面の簡単な説明】
【００２８】
【図１】本発明の第１の実施形態に係る折畳式カメラ付き携帯電話装置を示す概略斜視図
【図２】その折畳式カメラ付き携帯電話装置の作用を説明するものであり、（Ａ）は無線タグとの通信に成功する前の表示状態を示す説明図、（Ｂ）は無線タグとの通信に成功したときの表示状態を示す説明図
【図３】（Ａ）は本発明の第２の実施形態に係る折畳式カメラ付き携帯電話装置において無線タグとの通信に成功する前の液晶画面での表示状態を示す説明図、（Ｂ）は無線タグとの通信に成功したときの液晶画面での表示状態を示す説明図
【図４】その折畳式カメラ付き携帯電話装置によって通信しようとする住居（家屋）の玄関扉の一部を含んだ撮影範囲を示す説明図
【図５】（Ａ）はその折畳式カメラ付き携帯電話装置によって通信に成功したときの画像（撮影画像データ）を示す説明図、（Ｂ）はそのときの輪郭（輪郭データ）を示す説明図
【符号の説明】
【００２９】
１、４  折畳式カメラ付き携帯電話装置（通信端末装置）
１１  液晶画面（表示手段）
２、５  住居（家屋）
２１、５１  玄関扉（撮影対象物）
３、６  無線タグ（ＲＦＩＤタグ）
Ｆ１  輪郭
Ｐ１、Ｐ３  過去に（無線）通信が行なえたときの撮影画像
Ｐ２、Ｐ４  現在撮影中の画像
α、γ  過去の撮影範囲
β  現在の撮影範囲
【図１】
2006311429.tif 000003
【図２】
2006311429.tif 000004
【図３】
2006311429.tif 000005
【図４】
2006311429.tif 000006
【図５】
2006311429.tif 000007